(57)【特許請求の範囲】
【請求項１】
開傘時に略半球状となる傘体と、前記傘体の開口端に接続された吊索と、前記傘体上を前記傘体の頂部と前記吊索とを接続する紐状体と、前記傘体の閉傘状態を保持する保持部と、前記保持部によって前記閉傘状態に保持された前記傘体を折り畳んで収納する傘体収納部と、を備え、
前記傘体は、前記吊索の張力によって前記傘体収納部から引き出され、
前記紐状体は、前記傘体収納部から放出された前記傘体の伸張する力によって、前記保持部による前記保持を解除する、
ことを特徴とする落下傘。
【請求項２】
前記保持部は、前記傘体に固定されている固定部と該固定部の両側に設けられた自由端部とを備え、前記傘体の傘縁部を覆った状態で前記自由端部を互いに結束させることで閉傘状態を保持し、
前記紐状体は、前記傘体の伸張する力によって前記自由端部の結束を解くことで、前記保持部による保持を解除する、
ことを特徴とする請求項１に記載の落下傘。
【請求項３】
前記保持部は、前記自由端部を互いに糸により結束させ、
前記紐状体は、前記傘体の伸張する力によって前記糸を切断することで、前記自由端部の結束を解く、
ことを特徴とする請求項２に記載の落下傘。
【請求項４】
前記紐状体を前記傘体との間で摺動不能に挟持し、該傘体の伸張する力によって該挟持を解除することで、該紐状体を該傘体上で摺動させる挟持部をさらに備え、
前記紐状体は、前記傘体上を摺動して前記自由端部の結束を解くことで、前記保持部による保持を解除する、
ことを特徴とする請求項２又は３に記載の落下傘。
【発明の詳細な説明】
【技術分野】
【０００１】
本発明は、落下傘に関し、特に収納体積及び重量を増大させることなく異常開傘を防止することができる落下傘に関する。
【背景技術】
【０００２】
落下物を落下傘により降下させる場合に、落下傘は側面から強い気流を受け、その気流によって傘体の一部を反転させられることがある。
【０００３】
具体的には、落下傘は落下時において以下のような現象が起こる。まず、図８（ａ）に示すように、落下傘１の傘体２及び吊索３の伸張時に、傘縁部２ａの一部が他の部分より下がってしまい、傘縁部２ａが不揃いとなる。次に、図８（ｂ）に示すように、不揃いの部分の一部が横風等の気流の影響で傘縁の他の部分にもぐりこむ。次に、図８（ｃ）に示すように、もぐりこんだ部分が反転状態で空気をはらみ膨張し始める。次に、図８（ｄ）に示すように、反転状態で膨張した部分がさらに成長する。そして、図８（ｅ）に示すように、反転部分の傘縁部と反転していない部分の傘縁部とが、底面から見て８の字のように開傘する。また、反転部分の膨張がさらに成長すると傘体は完全に裏返る（図示せず）。
【０００４】
上記のような正常でない傘体の膨張及び開傘は、傘縁が不揃いな状態で傘体が膨張し始めることに起因する。この現象を抑制するために、傘縁全周の端部４０〜５０ｃｍをネットとし、ネットの網目から気流を逃がす構造を用いた落下傘が知られている（非特許文献１）。
【先行技術文献】
【非特許文献】
【０００５】
【非特許文献１】TECHNICAL MANUAL, UNIT AND INTERMEDIATE DIRECT SUPPORT(DS), MAINTENANCE MANUAL(INCLUDING REPAIR PARTS AND SPECIAL TOOLS LIST) FOR PARACHUTE, PERSONNEL TYPE: 35-FOOT DIAMETER, T-10B TROOP BACK PARACHUTE ASSEMBLY NSN1670-00-591-0720, HEADQUATERS, DEPARTMENTS OF THE ARMY AND AIR FORCE,AND HEADQUARTERS, U.S. MARINE CORPS, 16 SEPTEMBER 1988
【発明の概要】
【発明が解決しようとする課題】
【０００６】
しかし、非特許文献１に記載された落下傘に用いられている構造では、傘縁全周をネットで形成しなければならず、ネットは傘布に比べて重量が大きいため、落下傘全体の重量が大きくなるという問題があった。また、落下傘の収納体積が大きくなってしまうといった問題もあった。
【０００７】
本発明はこれらの問題に着目してなされたもので、収納体積及び重量を増大させることなく異常開傘を防止できる落下傘を提供することを目的とする。
【課題を解決するための手段】
【０００８】
上記目的を達成するための本発明に係る落下傘は、開傘時に略半球状となる傘体と、前記傘体の開口端に接続された吊索と、前記傘体上を前記傘体の頂部と前記吊索とを接続する紐状体と、前記傘体の閉傘状態を保持する保持部と、前記保持部によって前記閉傘状態に保持された前記傘体を折り畳んで収納する傘体収納部と、を備え、前記傘体は、前記吊索の張力によって前記傘体収納部から引き出され、前記紐状体は、前記傘体収納部から放出された前記傘体の伸張する力によって、前記保持部による前記保持を解除する、ことを特徴とする。
【０００９】
上記落下傘において、前記保持部は、前記傘体に固定されている固定部と該固定部の両側に設けられた自由端部とを備え、前記傘体の傘縁部を覆った状態で前記自由端部を互いに結束させることで閉傘状態を保持し、前記紐状体は、前記傘体の伸張する力によって前記自由端部の結束を解くことで、前記保持部による保持を解除する、ようにしてもよい。
【００１０】
上記落下傘において、前記保持部は、前記自由端部を互いに糸により結束させ、前記紐状体は、前記傘体の伸張する力によって前記糸を切断することで、前記自由端部の結束を解く、ようにしてもよい。
【００１１】
上記落下傘において、前記紐状体を前記傘体との間で摺動不能に挟持し、該傘体の伸張する力によって該挟持を解除することで、該紐状体を該傘体上で摺動させる挟持部をさらに備え、前記紐状体は、前記傘体上を摺動して前記自由端部の結束を解くことで、前記保持部による保持を解除する、ようにしてもよい。
【発明の効果】
【００１２】
本発明により、収納体積及び重量を増大させることなく異常開傘を防止することができる落下傘を提供することができる。
【図面の簡単な説明】
【００１３】
【図１】（ａ）は、本発明の実施形態に係る落下傘の構成を示す正面図であり、（ｂ）は、（ａ）のＡ−Ａ断面図である。
【図２】（ａ）は、開放コードを中心とした落下傘の構成を示す斜視図であり、（ｂ）は、（ａ）のＢ−Ｂ断面図である。
【図３】傘縁覆い布の構成を示す正面図である。
【図４】内のうの構成を示す断面図である。
【図５】本実施形態に係る落下傘の収納手順を説明するための図である。
【図６】本実施形態に係る落下傘の開傘動作を説明するための図である。
【図７】傘縁覆い布の変形例を示す図である。
【図８】従来の落下傘の異常な開傘状態を説明するための図である。
【発明を実施するための形態】
【００１４】
以下、本発明の実施形態を説明する。尚、以下に記載する実施形態は説明のためのものであり、本願発明の範囲を制限するものではない。したがって、当業者であればこれらの各要素又は全要素をこれと均等なものに置換した実施形態を採用することが可能であるが、これらの実施形態も本発明の範囲に含まれる。
【００１５】
まず、本実施形態に係る落下傘の構成について図面を参照しつつ説明する。
【００１６】
図１及び図２は、本実施形態に係る落下傘の構成を示す図である。
【００１７】
落下傘１０は、図１（ａ）に示すように、傘体２０と、傘縁覆い布３０と、開放コード３５と、複数の吊索４０と、内のう５０と、誘導傘５７と、収納袋６０と、から概略構成されている。
【００１８】
傘体２０は、展張時にほぼ半球状となって吊下物１００を緩やかに下降させるためのもので、扇形をなす複数のゴア２１の側縁部を傘布が重複するように繋ぎ合わせて形成されている。このつなぎ合わせた部分の上には、傘体補強テープ２４が貼設されている。傘体２０は、開傘状態において傘体２０の半球状の開放面を構成する傘縁部２５と、傘体の頂部を形成する傘頂部２７と、傘縁部２５と傘頂部２７とを接続する傘中央部２６と、から構成されている。
【００１９】
傘縁部２５には、吊索４０の上端が固定されている。また、傘縁部２５の外面には、図１（ｂ）に示すように、傘縁覆い布３０が配設されると共に、外面の傘縁覆い布３０とは平面視で１８０度異なる位置には、開放コード３５が配設されている。
【００２０】
図１（ａ）に示す傘中央部２６では、開放コード３５が設けられたゴア２１の繋ぎ目２２の傘体補強テープ２４上にコードスリーブ２３が縫合されている。コードスリーブ２３は、図２（ｂ）に示すように、開放コード３５を挿通可能に形成され、挿通することで繋ぎ目２２の傘体補強テープ２４との間に挟み込む。
【００２１】
また、傘体補強テープ２４は、開放コード３５が繋ぎ目２２に沿って摺動するときに、傘布が損傷することを防止する。
【００２２】
傘頂部２７には、図１（ａ）に示すように、第一連結索５５ａで内のう５０が連結されるとともに、図２（ａ）に示すように、開放コード３５を固定するための傘頂取付部２７ａが設けられている。
【００２３】
また、コードスリーブ２３の上端２３ａと傘頂部２７との間には、複数のガイドループ２９が設けられている。ガイドループ２９は、開放コード３５を挿通可能に形成され、開放コード３５が左右にずれることを防止する。
【００２４】
図１（ａ）に示す傘縁覆い布３０は、傘縁部２５が折り畳まれた状態を保持することにより、傘体２０の閉傘状態を保持するもので、例えばナイロン、ポリエステルなどの合成繊維で形成されてもよいが、摩擦で傘布を傷めない綿布が望ましい。
【００２５】
図３は、傘縁覆い布の構成を示す図である。
【００２６】
傘縁覆い布３０は、図３に示すように、中央部３０ａと、左右側部３０ｂ、３０ｃと、を備え、略五角形状に形成されている。
【００２７】
中央部３０ａは、傘布が重複しているゴア２１の繋ぎ目２２の傘体補強テープ２４に縫合され、傘縁覆い布３０を傘体２０に強固に固定している。また、左右側部３０ｂ、３０ｃは、端部に複数のハトメ３１ｂ、３１ｃを有する。
【００２８】
傘縁覆い布３０は、傘布が折り畳まれた傘体２０の傘縁部２５を、傘縁覆い布３０の左右側部３０ｂ、３０ｃで覆い、ハトメ３１ｂ、３１ｃを互いに近接させ、ハトメ３１ｂ、３１ｃに糸３３（図５（ｅ））を挿通させて結束することで、傘縁部２５が折り畳まれた状態を保持する。
【００２９】
図１（ａ）に示す開放コード３５は、傘縁覆い布３０による傘縁部２５の拘束を解除するためのもので、例えば伸度が小さく耐摩擦性もあり、細くても強度の大きい高強力ポリエチレンなどの合成繊維から形成されている。
【００３０】
開放コード３５は、傘体２０が伸張したときの長さとほぼ等しい長さに形成され、図２（ａ）に示すように、繋ぎ目２２に沿って設けられている。具体的に、開放コード３５は、上端が傘頂取付部２７ａに固定されると共に下端が吊索４０の上端付近に設けられた吊索取付部４０ａに固定されている。
【００３１】
開放コード３５は、コードスリーブ２３と繋ぎ目２２の傘体補強テープ２４との間に挟み込まれている。このため、開放コード３５は、傘中央部２６が伸張していない状態では、コードスリーブ２３と傘体補強テープ２４との間に生じる摩擦抵抗によって、傘体２０上を容易に摺動できないようになっている。傘中央部２６が伸張すると、開放コード３５は、傘体２０に沿って摺動可能になる。
【００３２】
また、開放コード３５には、傘縁覆い布３０に形成されたハトメ３１ｂ、３１ｃと等しい数の切断ループ３６が形成されている。切断ループ３６は、傘縁覆い布３０によって傘縁部２５が保持された状態では、ハトメ３１ｂ、３１ｃと同じ糸３３（図５（ｅ））を挿通し、この糸３３（図５（ｅ））によってハトメ３１ｂ、３１ｃと結束されている。切断ループ３６は、開放コード３５の傘体２０上方への摺動に伴い、傘体２０上方に移動することにより、挿通している糸３３（図５（ｅ））を切断する。このような切断ループ３６によって、開放コード３５は、傘体覆い布３０による傘縁部２５の拘束を解除することができる。
【００３３】
図１（ａ）に示す吊索４０は、吊下物１００を落下傘１０に連結するためのもので、上端が傘縁部２５に固定されると共に下端が収納袋６０を介して吊下物１００に連結されている。なお、吊索４０には、降下者が連結されてもよい。
【００３４】
内のう５０は、その中に傘体２０をＳ字状に畳み込んで収納するためのもので、下方が開放可能に構成されている。内のう５０は、第一連結索５５ａで傘頂部２７に連結されると共に第二連結索５５ｂで誘導傘５７に連結されている。
【００３５】
図４は、内のうの構成を示す図である。
【００３６】
内のう５０は、図４に示すように、左右の蓋部を有し、左の蓋部には、ゴムループ５０ａが設けられ、右の蓋部には、ゴムループ５０ａが挿通可能な穴が形成されている。内のう５０は、傘体２０を収納した後、まず、左の蓋部が閉じられ、次に、右の蓋部が、その穴にゴムループ５０ａが挿通するように閉じられる。そして、右の蓋部の穴を挿通したゴムループ５０ａには、一部が二つ折りにされた吊索４０が挿通される。これにより、内のう５０は、吊索４０がゴムループ５０ａから引き抜かれるまで、閉じられた状態を保持することができる。
【００３７】
また、内のう５０の側部には、傘縁部２５に連結された吊索４０を収納するための吊索収納ポケット５１が設けられている。
【００３８】
図１（ａ）に示す誘導傘５７は、傘体２０より小径の傘体を有し、第二連結索５５ｂで内のう５０に連結されている。誘導傘５７は、下方からの風圧を受けることによって、収納袋６０から内のう５０を抽出する。
【００３９】
収納袋６０は、傘体２０などが収納された内のう５０をさらにその内に収納することで、落下傘１０を収納する。
【００４０】
次に、上記構成を備える落下傘の収納手順について図面を参照しつつ説明する。
【００４１】
図５は、落下傘の収納手順を説明するための図である。
【００４２】
まず、図５（ａ）に示す閉傘状態の傘体２０の傘布を、図５（ｂ）に示すように、内のう５０に収納できる幅に左右から折る。
【００４３】
次に、図５（ｃ）のように、傘体２０の傘頂部２７を二つ折りにした後、開放コード３５を吊索４０側へ引っ張ることにより、図５（ｄ）に示すように、傘頂取付部２７ａとコードスリーブ２３の上端２３ａとを近接させる。これに伴い、開放コード３５に設けられた切断ループ３６は、傘縁覆い布３０に近接する。
【００４４】
そして、図５（ｅ）に示すように、傘体２０の傘縁部２５を傘縁覆い布３０の左右側部３０ｂ、３０ｃで覆い、ハトメ３１ｂ、３１ｃ及び切断ループ３６に同じ糸３３を挿通して結束する。これにより、切断ループ３６と吊索取付部４０ａとの間には、図５（ｆ）に示すように、弛み部３５ｂが形成される。
【００４５】
続いて、図４に示したように、傘体２０を、傘頂部２７側からＳ字状に折り畳み、内のう５０内へ収納する。
【００４６】
その後、ゴムループ５０ａが設けられた左の蓋部を閉じてから、右の蓋部を、右の蓋部に設けられた穴がゴムループ５０ａを挿通するように閉じる。続いて、吊索４０の一部を二つ折りにし、ゴムループ５０ａに挿通後、傘縁部２５に連結された吊索４０を吊索収納ポケット５１内へ収納する。
【００４７】
そして、内のう５０を収納袋６０内に収納し、落下傘１０の収納袋６０への収納が終了する。
【００４８】
続いて、上述のようにして収納された落下傘の開傘動作について図面を参照しつつ説明する。
【００４９】
図６は、落下傘の開傘動作を説明するための図である。
【００５０】
飛行中の飛行機等（図示せず）から吊下物１００が落下すると、まず、誘導傘５７が下方からの風圧によって全開状態まで開傘し、第二連結索５５ｂに張力が付与される。そして、第二連結索５５ｂの張力によって、図６（ａ）に示すように、内のう５０が収納袋６０から上方に引き出されると共に、内のう５０の吊索ポケット５１内に収納されている吊索４０が下方に引き出されていく。
【００５１】
そして、吊索ポケット５１内に収納されていた吊索４０が全て引き出されて伸張すると、吊索４０に張力が付与され、この張力によって、内のう５０の左の蓋部に設けられたゴムループ５０ａから、二つ折りにされた吊索４０が引き抜かれる。これにより、図６（ｂ）に示すように、左右の蓋部が開き、内のう５０の下方が開放される。
【００５２】
その後、ゴムループ５０ａから引き抜かれた吊索４０が伸張すると、吊索４０全体に張力が付与され、この張力によって、内のう５０から傘体２０が閉傘状態を保持したまま下方に引き出されていくと共に第一連結索５５ａが引き伸ばされていく。そして、第一連結索５５ａが伸張すると、第一連結索５５ａに張力が付与され、吊索４０と第一連結索５５ａとの張力によって、図６（ｃ）に示すように、傘体２０の傘縁部２５と傘中央部２６とが引き伸ばされていく。
【００５３】
その後、傘体２０の傘中央部２６が伸張すると、傘体補強テープ２４とコードスリーブ２３とによる挟込が解除され、開放コード３５が摺動可能な状態となる。開放コード３５は、二つ折りにされた傘頂部２７が伸びていく力によって、傘体補強テープ２４に沿って上方へ摺動していき、それに伴い開放コード３５の切断ループ３６も傘体補強テープ２４に沿って上方へ移動していく。そして、切断ループ３６が上方へ移動していく力によって、ハトメ３１ｂ、３１ｃと切断ループ３６とを結束する糸３３が切断されることにより、図６（ｄ）に示すように、傘縁覆い布３０による傘縁部２５の拘束が解除され、傘体２０の閉傘状態の保持が解除される。
【００５４】
その後、傘体２０が下方からの風圧によって、図６（ｅ）に示すように、開傘をし始める。その後、図６（ｆ）に示すように、傘体２０が開傘状態になると、落下傘１０は、緩やかに下降していく。
【００５５】
以上説明したように、本実施形態に係る落下傘１０によれば、傘体２０は、伸張した吊索４０の張力によって内のう５０から引き出され、傘頂部２７に接続された第一連結索５５と吊索４０とが引き合う力によって傘縁部２５と傘中央部２６とが引き伸ばされていく。その後、傘中央部２６が伸張すると、開放コード３５が傘体２０上を摺動可能な状態となり、傘頂部２７が伸びていく力によって開放コード３５が傘体２０上を摺動すると共に、開放コード３５に設けられた切断ループ３６が傘体２０上方へ移動していく。そして、切断コード３６が傘体２０上方へ移動していく力によって、糸３３が切断されてハトメ３１ｂ、３１ｃの拘束が解かれると、傘縁覆い部３０による傘縁部２５の拘束が解除されて傘体２０の閉傘状態の保持が解除される。
【００５６】
このように、本実施形態に係る落下傘１０では、吊索４０が伸張した後、傘体２０が内のう５０から引き出され、閉傘状態を保持したまま引き伸ばされていく。そして、傘体２０の傘中央部２６と傘縁部２７とが伸張してから、傘体２０の閉傘状態が解除される。これにより、傘縁部２７を、傘体２０の収納体積及び重量増大の原因となるネットで形成することなく、傘縁部２７が弛んで不揃いとなっている状態で傘体２０の開傘が開始され、傘体２０が部分反転開傘や完全反転開傘といった異常開傘状態になることを防止することができる。この結果、異常開傘に起因して発生する落下傘１０の操縦不能や損傷、さらには落下傘１０の降下速度の増大や意図していない回転などの弊害を防止することができる。
【００５７】
なお、本発明は上記の実施形態に限定されるものではなく、種々の変形が可能である。
【００５８】
例えば、上記実施形態では、左右側部３０ｂ、３０ｃの端部に複数のハトメ３１ｂ、３１ｃが設けられ、ハトメ３１ｂ、３１ｃを糸３３で連結することで、傘縁部２５が拘束されるものとして説明した。しかしながら、この発明はこれに限定されるものではなく、例えば図７（ａ）に示すように、左側部３０ｂには、ハトメ３１ｂに代えてループ３２ｂを設ける一方で、右側部３０ｃには、上記実施形態と同様、ハトメ３１ｃを設けると共に、図７（ｂ）に示すように、開放コード３５には、切断ループ３６に代えて、ピン３７を設けるようにしてもよい。この場合には、ハトメ３１ｃに挿通させたループ３２ｂにピン３７を挿して固定することで、傘縁部２５が拘束されればよい。
【００５９】
また、ハトメ３１ｂ、３１ｃの代わりに、例えば、ループを設けてもよい。この場合には、左右側部３０ｂ、３０ｃのループと、開放コード３５の切断ループ３６と、に同じ糸３３を挿通させ、結んで仮縛すればよい。
【００６０】
例えば、上記実施形態では、収納袋６０から内のう５０を抽出するために誘導傘５７を使用したが、これに限定されるものではない。誘導傘５７の代わりに、例えば、自動索を用いてもよい。この場合は、内のう５０と連結された自動索を飛行機等と連結することで、降下者又は吊下物１００が落下した時に、収納袋６０から内のう５０を抽出することができる。また、内のう５０を抽出した後、内のう５０と自動索との連結部が、吊下物１００の重さで切り離されるようにすればよい。
【００６１】
例えば、上記実施形態では、開放コード３５は、傘縁覆い布３０とは平面視で１８０度異なる位置に配設したが、これに限定されるものではない。傘縁覆い布３０の左右側部３０ｂ、３０ｃの長さの比を変えることで、例えば、開放コード３５を傘縁覆い布３０とは９０度異なる位置に配設することも可能であり、他の角度に配設することも同様に可能である。
【符号の説明】
【００６２】
１０  落下傘
２０  傘体
２１  ゴア
２２  繋ぎ目
２３  コードスリーブ
２４  傘体補強テープ
２５  傘縁部
２６  傘中央部
２７  傘頂部
２９  ガイドループ
３０  傘縁覆い布
３１ｂ、３１ｃ  ハトメ
３２ｂ  ループ
３３  糸
３５  開放コード
３６  切断ループ
３７  ピン
４０  吊索
５０  内のう
５１  吊索収納ポケット
５５ａ  第一連結索
５５ｂ  第二連結索
５７  誘導傘
６０  収納袋
１００  吊下物
【図１】
0005465553.tif 000002
【図２】
0005465553.tif 000003
【図３】
0005465553.tif 000004
【図４】
0005465553.tif 000005
【図５】
0005465553.tif 000006
【図６】
0005465553.tif 000007
【図７】
0005465553.tif 000008
【図８】
0005465553.tif 000009